(57)【要約】【課題】光学式ピックアップよりディスクに対して信号の記録動作を行う光ディスク記録再生装置のパルス制御方法を提供する。【解決手段】光学式ピックアップに組み込まれているレーザーダイオードに低レベルから高レベル、高レベルから中レベルそして中レベルから低レベルと変化する波形のパルス信号を供給することによってディスクへの信号の記録動作を行うように構成された光ディスク記録再生装置において、中レベル期間の信号レベルをサンプリング動作及びサーボ動作により該中レベルの信号レベルを一定レベルになるように制御した状態で高レベルの信号レベルを変化させることによってテスト信号を記録し、その記録された信号の特性変化に基づいて高レベル信号を出力する回路の利得を補正する。【選択図】    図１
2004303331.tif 000002
【特許請求の範囲】
【請求項１】
光学式ピックアップに組み込まれているレーザーダイオードに低レベルから高レベル、高レベルから中レベルそして中レベルから低レベルと変化する波形のパルス信号を供給することによってディスクへの信号の記録動作を行うように構成された光ディスク記録再生装置において、中レベル期間の信号レベルをサンプリング動作及びサーボ動作により該中レベルの信号レベルを一定レベルになるように制御した状態で高レベルの信号レベルを変化させることによってテスト信号を記録し、その記録された信号の特性変化に基づいて高レベル信号を出力する回路の利得を補正するようにしたことを特徴とする光ディスク記録再生装置の記録パルス制御方法。
【請求項２】
高レベルの信号レベルの変化を段階的に行うようにしたことを特徴とする請求項１に記載の記録パルス制御方法。
【請求項３】
記録された信号の特性変化をβ値の変化に基づいて検出するようにしたことを特徴とする請求項１に記載の記録パルス制御方法。
【請求項４】
β値の変化率と前以って設定されている変化率とを比較し、その比較に基づいて利得の補正を行うようにしたことを特徴とする請求項３に記載の記録パルス制御方法。
【発明の詳細な説明】
【０００１】
【発明の属する技術分野】
本発明は、光学式ピックアップより照射されるレーザー光によってディスクに信号を記録するとともにレーザー光によってディスクに記録されている信号の再生動作を行うように構成された光ディスク記録再生装置に関する。
【０００２】
【従来の技術】
光学式ピックアップを用いてディスクに記録されている信号の読み出し動作を行うディスクプレーヤーが普及しているが、最近では、再生機能に加えて光学式ピックアップより照射されるレーザー光によってディスクに信号を記録することが出来るように構成された光ディスク記録再生装置が商品化されている。
【０００３】
信号を記録することが出来るディスクには、プリグルーブと呼ばれる溝が形成されており、このプリグルーブから得られるウォブル信号を復調することによって得られるＡＴＩＰと呼ばれる絶対時間情報を利用して信号の記録動作を行うように構成されている。
【０００４】
斯かる光ディスク記録再生装置では、光学式ピックアップに組み込まれているレーザーダイオードにパルス状の駆動信号を供給することによって該レーザーダイオードより照射されるレーザー光によってディスク上にピットを形成するように構成されている。そして、レーザーダイオードに供給される駆動信号のパルス波形が最適でなかった場合には、ピットの形状が規定の大きさに対して大きすぎたり小さすぎたりすることになるので、記録パルスの波形をディスクへの記録動作を行うために適した波形にするようにされている（例えば特許文献１参照。）。
【０００５】
【特許文献１】
特開２００２−２３７０４２号公報
【０００６】
【発明が解決しようとする課題】
図２に示すパルス波形は、ディスクに信号を記録するためにレーザーダイオードに供給される駆動信号の波形であり、低レベルＰ１、中レベルＰ２及び高レベルＰ３の３値のレベルにて構成されている。斯かる波形において、中レベルＰ２がディスクに信号を記録するためのレーザー出力を得るためにレーザーダイオードに供給される駆動信号のレベルであり、記録開始時の記録特性を向上させるために高レベルＰ３が付加される。
【０００７】
高レベルＰ３が付加される期間とそのレベルは、記録速度の高速化に応じて変更されるが、そのレベルを記録動作を行うために適した値に設定することは容易ではない。即ち、高レベルＰ３が付加される期間は、中レベルＰ２の期間と比較して短いため、そのレベルを正確に制御することは困難である。斯かる高レベルＰ３のレベル設定は、中レベルＰ２に対して前もって設定された比率をかけることによって設定しているが、レーザーダイオード等の温度変化や経時変化によって特性が変化するため、高レベルＰ３の値が記録動作に適した値にならないという問題がある。
【０００８】
本発明は、斯かる問題を解決することが出来る記録パルスの制御方法を提供しようとするものである。
【０００９】
【課題を解決するための手段】
本発明は、光学式ピックアップに組み込まれているレーザーダイオードに低レベルから高レベル、高レベルから中レベルそして中レベルから低レベルと変化する波形のパルス信号を供給することによってディスクへの信号の記録動作を行うように構成された光ディスク記録再生装置において、中レベル期間の信号レベルをサンプリング動作及びサーボ動作により該中レベルの信号レベルを一定レベルになるように制御した状態で高レベルの信号レベルを変化させることによってテスト信号を記録し、その記録された信号の特性変化に基づいて高レベル信号を出力する回路の利得を補正するように構成されている。
【００１０】
【実施例】
図１は本発明に係る光ディスク記録再生装置の一実施例を示す回路図、図２及び図３は本発明を説明するための波形図である。
【００１１】
図１において、１は光学式ピックアップに組み込まれているとともにレーザー光を照射するレーザーダイオードであり、レーザー駆動回路２から供給される電流によって駆動されるように接続されている。３は前記レーザーダイオード１より出力されるレーザー光のレベルをモニターするべく光学式ピックアップ内に設けられているモニター用ダイオード、４は前記モニター用ダイオード３から得られるモニター信号が入力されるモニター信号増幅回路であり、モニター信号を増幅する作用を有している。
【００１２】
５は前記モニター信号増幅回路４より出力されるモニター信号に基づいてレーザー出力を制御するとともにレーザーダイオード１にレーザー駆動回路２より供給される駆動電流の波形を制御する制御回路、６は前記制御回路５によって動作が制御される第１レベル信号出力回路であり、ディスクに信号を記録することが出来ない低レベルＰ１の信号をレーザー駆動回路２より出力させる信号を出力するように設定されている。
【００１３】
７は前記制御回路５によって動作が制御される第２レベル信号出力回路であり、記録動作を行う場合にディスクに信号を記録する中レベルＰ２の信号をレーザー駆動回路２より出力させる信号を出力するように設定されている。８はレーザーサーボ回路であり、前記モニター用ダイオード３から得られる信号を制御回路５によってサンプリングされた信号に基づいて中レベルＰ２のレベルが一定のレベルになるように制御する作用を有している。
【００１４】
９は前記制御回路５によって動作が制御される第３レベル信号出力回路であり、前記中レベルＰ２より高い出力である高レベルＰ３の信号をレーザー駆動回路２より出力させる信号を出力するように設定されている。１０は前記第３レベル信号出力回路９より出力される高レベルＰ３の値を変更させるレベル変更回路、１１は第３信号レベル出力回路９の利得を補正する利得補正回路である。
【００１５】
１２は前記第１レベル信号出力回路６、第２レベル信号出力回路７及び第３レベル信号出力回路９の出力信号が入力される加算回路であり、前記制御回路５による制御動作によって入力される信号の選択加算動作を行いその選択加算された信号を前記レーザー駆動回路２に供給するように構成されている。そして、第３レベル信号出力回路８より出力される高レベルＰ３の加算期間は、記録速度に応じて変更するように構成されている。
【００１６】
１３は光学式ピックアップに組み込まれている光検出器であり、レーザーダイオード１から照射されるとともにディスクＤから反射されたレーザー光が照射されるように構成されている。１４は前記光検出器１３より得られるＲＦ信号が入力されるとともに該信号を増幅するＲＦ信号増幅回路、１５は前記ＲＦ信号増幅回路１４から出力される信号からβ値を検出するβ値検出回路である。ここで、β値について説明する。図３は、ディスクＤに記録されている信号を再生した高周波信号の波形図であり、Ａ１及びＡ２は各々プラス側のピークレベル及びマイナス側のピークレベルである。
【００１７】
斯かる条件において、β値は、β＝（Ａ１＋Ａ２）／（Ａ１−Ａ２）と表され、このβ値の値が例えば０．０４のとき、最適なレーザー出力にて信号が記録されると規格設定されている。
【００１８】
斯かる構成において、レーザーダイオード１より照射されるレーザー光のレベルは、モニター用ダイオード３によってモニターされる状態にある。そして、前記モニター用ダイオード３より得られるモニター信号は、モニター信号増幅回路４に入力されて増幅された後制御回路５に入力される。斯かるモニター信号が入力されると、前記制御回路５は、モニター信号増幅回路４より得られるモニター信号のサンプリング動作及びレーザーサーボ回路８によるサーボ動作を制御し、前記第２レベル信号出力回路７より出力される信号のレベル、即ち中レベルＰ２を一定のレベルに維持するように構成されている。
【００１９】
また、本発明に係る光ディスク記録再生装置は、ディスクＤの内周側に設けられている試し書き領域にテスト信号を記録再生することによってレーザー出力の設定動作を行うように構成されている。レーザー出力の設定動作は、レーザー出力を変更しながらテスト信号を試し書き領域に記録した後、その記録された信号の再生動作を行い、再生特性が最も良い信号を記録したレーザー出力を記録動作を行うために適した出力として設定するようにされているが、斯かる技術は周知であるのでその説明は省略する。
【００２０】
以上に説明したように本発明に係る光ディスク記録再生装置は構成されているが、次に動作について説明する。ディスクＤに信号を記録する動作を行う場合には、制御回路５による制御動作によって第１レベル信号出力回路６、第２レベル信号出力回路７及び第３レベル信号出力回路９から夫々低レベルＰ１、中レベルＰ２及び高レベルＰ３の信号をレーザー駆動回路２から出力させるための信号を出力させる制御動作が行われる。
【００２１】
そして、入力される記録信号に応じて加算回路１２の選択加算制御動作を制御回路５が行い、その選択加算制御された信号がレーザー駆動回路２に供給される。斯かるパルス波形のパルス幅及び高レベルＰ３が出力される時間幅は、制御回路５による制御動作によって記録信号の長さに応じて変化せしめられ、記録速度等に適した記録動作を行うことが出来る。このように記録動作を行う場合の記録パルスの波形は、低レベルＰ１から高レベルＰ３、高レベルＰ３から中レベルＰ２、そして中レベルＰ２レベルから低レベルＰ１へと変化するパルス波形、即ち３値を有するパルス波形となる。
【００２２】
以上に説明したように記録動作を行うためのパルス波形の信号がレーザーダイオード１に供給されてディスクＤへの信号の記録動作が行われるが、次に本発明の要旨について説明する。
【００２３】
本発明は、高レベルＰ３の値が記録動作を行うために最適なレベルになるように設定するものであり、斯かる設定動作は第３レベル信号出力回路９より出力されるレベル、即ち高レベルＰ３のレベルを５段階に変更させながらテスト信号をディスクＤに記録することから開始される。斯かる高レベルＰ３のレベルを５段階に変更する動作は、レベル変更回路１０による第３レベル信号出力回路９に対する制御動作によって行われる。
【００２４】
ディスクＤに設けられている試し書き領域に高レベルＰ３の値を段階的に変更させてテスト信号の記録動作を行うが、斯かる記録動作を行っている状態では、前述したようにモニター用ダイオード３より得られるモニター信号のサンプリング動作及びレーザーサーボ回路８によるサーボ動作を制御することによって中レベルＰ２の値が前以って設定されている一定のレベルになるように制御されている。従って、テスト信号の記録動作は、中レベルＰ２が一定のレベルに制御された状態において、高レベルＰ３のレベルのみを段階的、例えば５段階に変更させながら行われることになる。
【００２５】
前述した高レベルＰ３のみを変更させながら記録されたテスト信号の再生動作を行うと、ディスクＤから反射されたレーザー光が照射される光検出器１３から得られるＲＦ信号が再生信号としてＲＦ信号増幅回路１４に入力される。前記ＲＦ信号増幅回路１４に入力された再生信号は増幅された後β値検出回路１５に入力されるとともにそのβ値が検出され、その検出値が制御回路５に入力される。このようにして検出されるβ値は、高レベルＰ３のレベル変更に基づいて変化することになり、その変化率の演算処理動作が行われる。
【００２６】
高レベルＰ３を５段階変更した場合に得られたβ値の変化率が、通常、即ち前以て設定されている設定条件では５％変化するが、テストでは３％であった場合には、設定されている条件に対して４０％のレーザー出力が不足していると判断される。従って、この場合には、第３レベル信号出力回路９の利得を補正するべく設けられている利得補正回路１１により該第３レベル信号出力回路９の利得を増加させるための補正動作を行う。斯かる利得の補正動作を行うことによって高レベルＰ３のレベルをディスクＤに記録するために適した値になるように設定することが出来る。
【００２７】
尚、本実施例では、高レベルＰ３のレベル変化を段階的に行うようにしたが、連続的に行うようにすることも出来る。また、５段階に変化させるようにしたが、最低レベルと最高レベルの２段階に変更することによって行うことも可能であり、その変化の段数は任意に設定することは出来る。
【００２８】
【発明の効果】
本発明は、光学式ピックアップに組み込まれているレーザーダイオードに低レベルから高レベル、高レベルから中レベルそして中レベルから低レベルと変化する波形のパルス信号を供給することによってディスクへの信号の記録動作を行うように構成された光ディスク記録再生装置において、中レベル期間の信号レベルをサンプリング動作及びサーボ動作により該中レベルの信号レベルを一定レベルになるように制御した状態で高レベルの信号レベルを変化させることによってテスト信号を記録し、その記録された信号の特性変化に基づいて高レベル信号を出力する回路の利得を補正するようにしたので、記録動作を行うために適したパルス信号、即ちパルス波形が安定したパルス信号を生成することが出来る。
【００２９】
また、本発明は、高レベルの信号レベルの変化を段階的に行うようにしたので、記録された信号の特性変化を容易に認識することが出来る。
【００３０】
そして、本発明は、記録された信号の特性変化をβ値の変化に基づいて検出するようにしたので、即ち記録特性の良否を表すβ値を利用しているので、正確な記録パルス制御動作を行うことが出来る。
【図面の簡単な説明】
【図１】本発明に係る光ディスク記録再生装置の一実施例を示す回路図である。
【図２】本発明に係るレーザーダイオードを駆動するパルス信号の波形図である。
【図３】本発明の動作を説明するための波形図である。
【符号の説明】
１        レーザーダイオード
２        レーザー駆動回路
３        モニター用ダイオード
５        制御回路
６        第１レベル信号出力回路
７        第２レベル信号出力回路
８        レーザーサーボ回路
９        第３レベル信号出力回路
１０        レベル変更回路
１１        利得補正回路
１２        加算回路
１４        ＲＦ信号増幅回路
１５        β値検出回路
【図１】
2004303331.tif 000003
【図２】
2004303331.tif 000004
【図３】
2004303331.tif 000005